(57)【要約】      （修正有）【課題】ラチェット機能を備えるモンキレンチを提供する。【解決手段】本体１０と、可動顎２０と、調整装置３０と、制御具４０と、を備える。本体と可動顎は、被駆動具を駆動することができる。調整装置３０は可動顎２０横方向の移動を調節でき、制御具４０は第１位置と第２位置との間に切り替えることができる。制御具を第１位置に切り替えられたとき、可動顎は本体に対してラチェット運動はできない。制御具を第２位置に切り替えられたとき、可動顎は本体に対してラチェット運動できる。制御具を直接調整装置に対応することにより、他の素子を増設することなくラチェット運動するかしない制御効果を達成でき、確実により少ない素子、かつより単純な設計によりモンキレンチラチェット運動の目的を達成できる。【選択図】図４
0003178412.tif 000002
【実用新案登録請求の範囲】
【請求項１】
ラチェット機能を備えるモンキレンチであって、
固定顎と、摺動溝と、収容空間と、第１固定穴と、第２固定穴と、受入穴と、を有し、前記固定顎は前記本体の位置側に位置し、前記摺動溝は、横向きに本体を貫き、前記収容空間は前記本体の中間部に位置して前記本体を貫き、前記収容空間は垂直して前記摺動溝に連絡し、前記第１固定穴は前記摺動溝に平行し、前記第１固定穴は前記収容空間に連絡し、前記収容空間は前記本体を貫いて前記収容空間と前記第２固定穴に連絡し、前記第２固定穴は、支え装置と固定具を内設され、前記固定具によって、前記支え装置が前記第２固定穴より離脱を防止する、本体と、
前記摺動溝に滑設する可動顎と、
前記本体に内設して、前記可動顎が前記摺動溝での摺動を調整することにより、前記可動顎と前記固定顎との距離を制御し、軸と、スペーサと、ウォームと、を有し、前記軸は軸部と、固定部と、を有し、前記軸の前記軸部は前記スペーサと前記ウォームに穿設し、前記軸の前記固定部は前記第１固定穴に固定し、前記スペーサと前記ウォームとを前記収容空間に内設し、前記スペーサに第１歯合歯を形成する調整装置と、
受入穴に穿設され、少なくとも押圧と、一つの係止面と、支え溝と、第２歯合歯と、を有し、前記係止面と前記支え溝は同じ側に設け、前記第２歯合歯は上部に位置し、前記係止面は前記支え溝に隣接し、使用者が押圧部を押圧することにより、受入穴に沿って移動し、前記支え溝が前記支え装置の支えにより、第１位置と第２位置との間に切り替え改変でき、前記第２歯合歯は前記スペーサの前記第１歯合歯に当設し、前記調整装置の前記ウォームを前記収容空間の内部に制限し、前記ウォームが前記軸に対して移動できず、前記ウォームを前記可動顎に噛み合わせることにより、前記可動顎と前記固定顎との間に固定な距離を維持し、被駆動具を駆動でき、第１位置に切り替えられたとき、前記第２歯合歯と前記スペーサの前記第１歯合歯が噛み合わせることにより、前記スペーサが相対的に摺動し、前記ウォームも合わせて前記軸に沿って摺動し、かつ前記ウォームが前記可動顎に噛み合わせる操縦具と、を備える。
【請求項２】
前記支え溝は第１部位と、第２部位と、を有し、前記第１部位が前記操縦具の外周縁を離れていて、前記第２部位が前記操縦具の外周縁付近部に位置し、前記操縦具を前記第一位置に切り替えられたとき、前記支え装置が前記支え溝の前記第１部位を支え、前記制御具が前記第２位置に切り替えられたとき、前記支え装置が前記支え溝の前記第２部位を支えることを特徴とする、請求項１記載のラチェット機能を備えるモンキレンチ。
【請求項３】
前記制御具はさらに前記第１位置と、前記第２位置と、前記第３位置との間に切り替え改変でき、前記支え溝は第３部位を有し、前記第１部位は前記第２部位と前記第３部位との間に位置し、前記第３部位は前記制御具の外周縁付近部に位置し、前記制御具を前記第３位置に切り替えられたとき、前記支え装置が前記支え溝の前記第３部位を支えることを特徴とする、請求項２記載のラチェット機能を備えるモンキレンチ。
【請求項４】
前記支え溝は、Ｖ形に類似することを特徴とする、請求項３記載のラチェット機能を備えるモンキレンチ。
【請求項５】
前記第１部位は２つの傾斜面からなり、前記第２部位と前記第３部位とも実直状を形成することを特徴とする、請求項３記載のラチェット機能を備えるモンキレンチ。
【請求項６】
前記制御具は２つの押圧部を設け、２つの前記押圧部は、それぞれ前記制御具と反対する両端に位置し、前記係止面、前記支え溝と、前記第２歯合歯は２つの前記押圧部の間に位置することを特徴とする、請求項１記載のラチェット機能を備えるモンキレンチ。
【請求項７】
前記調整装置はさらに前記収容空間に内設する弾性部材を有し、前記軸の前記軸部は前記弾性部材に穿設され、前記スペーサは前記弾性部材と前記ウォームとの間に位置し、前記スペーサに受入穴を形成し、前記受入穴を前記弾性部材に嵌着することを特徴とする、請求項１記載のラチェット機能を備えるモンキレンチ。
【請求項８】
前記可動顎は、摺動部と、複数の第１歯部と、一つの顎部と、を有し、前記第１歯部は前記摺動部の周縁に位置し、かつ前記第１歯部は横方向に排列し、前記顎部は前記第１歯部の反対端に位置し、前記可動顎の前記摺動部は前記本体の前記摺動溝に滑設し、前記顎部は前記固定顎に対応していて、かつ前記固定顎は被駆動具を挟持できることを特徴とする、請求項１記載のラチェット機能を備えるモンキレンチ。
【請求項９】
前記スペーサに逃げ面を形成し、前記逃げ面と前記第１歯合歯がそれぞれ反対側面に位置し、前記逃げ面は前記第１歯部に向かい、前記逃げ面によって、前記スペーサと前記可動顎との干渉を解消することを特徴とする、請求項８記載のラチェット機能を備えるモンキレンチ。
【請求項１０】
前記支え装置は、弾性具と、支え具と、を有し、前記弾性具が弾性解放によって、前記支え具を押し込み、前記支え溝を支えることを特徴とする、請求項１記載のラチェット機能を備えるモンキレンチ。
【考案の詳細な説明】
【技術分野】
【０００１】
本考案はモンキレンチに関し、特にラチェット機能を備えたモンキレンチに関する。
【背景技術】
【０００２】
台湾特許証書Ｍ３６９２２１号往復回動可能なモンキレンチ（特許文献１）において、収容溝を有し、前記収容溝の上方に前記収容溝と連絡する滑り面を設け、かつ前記収容溝の一側は刺し穴を横設し、前記刺し穴の内部は径方向に通り穴を貫き、かつ収容溝の下方は貫通穴を設け、前記通り穴の反対側に補助穴を横設し、前記通り穴と前記補助穴がそれぞれ前記貫通穴に連絡する固定顎と、前記固定顎の前記滑り面に内設していて、かつ前記滑り面に沿って横方向に移動し、前記固定顎との間はピッチ可変の挟持口を形成し、底部に歯部を形成する可動顎と、前記固定顎の前記収容溝に内設され、雄ねじ山段を有し前記雄ねじ山段は前記可動顎の前記歯部と相互に噛み合わせられ、前記収容溝内壁との間は第１ばね設けるスクリューと、前記刺し穴より前記第１ばねと前記スクリューを貫き、前記スクリューを駆動し前記第１ばねを圧縮して横方向に移動され、かつ前記通り穴の対向位置は引き込んで阻止部を形成する軸稈と、前記通り穴に内設され、第２ばねとピンと有し、前記第２ばねは前記通り穴の底部に設けていて、かつ前記ピンの末端部を支えることによって、前記ピンの上面端を前記軸稈の阻止部に掛け留められ、相互掛け留めの状態を構成し、前記ピンの末端が前記貫通穴向きの一側は作動部を凸設する固定装置と、前記補助穴に内設し、順を追って支え具と、第３ばねと、ねじ込み蓋と、を有し、前記第３ばねの支えによって、前記貫通穴の方向に向かって延設する支え装置と、前記貫通穴に内設していて、かつ両端はそれぞれ前記貫通穴の外部に突き出され、前記ピンの前記作動部対向位置は第１Ｖ支え面を形成され、前記当設具の対向位置は第２Ｖ形支え面を形成していて、かつ前記作動部と前記当設具はそれぞれ各前記Ｖ形支え面中央部の曲がり位置に当接していて、その一端を押圧したとき、各前記Ｖ形支え面がそれぞれ前記ピンの前記作動部と前記支え具を押し進み、前記ピンの上面端を前記軸稈の前記阻止部を引き離すと共に、前記軸稈の当接状態を解除する操縦具と、を備える。
【先行技術文献】
【特許文献】
【０００３】
【特許文献１】台湾特許証書Ｍ３６９２２１号
【考案の概要】
【考案が解決しようとする課題】
【０００４】
前述特許において、軸稈をスクリューに穿設することにより、スクリューを収容溝に制限することと、操縦具を操作しピンを駆動移動することによって、ピンを軸稈に押圧するかしないことにより、可動顎が固定顎に対してラチェット運動するかしない効果を達成すると共に、操縦具が支え組の支えを受けることによってピンに支えて、ピンは第２ばねの弾性解放によって、軸稈に支えると開示されている。
この種の設計によると、ピン、支え組、第２ばねがすべて必要素子である。モンキレンチから見れば、配置部品が多く、かつ複雑という点は改良の必要がある。
【課題を解決するための手段】
【０００５】
本考案主な改良手段は、制御具を直接調整装置に対応させることにより、他の素子を増設することなく、ラチェット運動するかしない制御効果を達成でき、確実により少ない素子、かつより単純な設計によりモンキレンチのラチェット運動の目的を達成できる。
【０００６】
本考案次の技術改良手段は、操縦具とスペーサが相互に噛み合わせることにより、モンキレンチのラチェット効果をされに提供できる。
【考案の効果】
【０００７】
以下の説明内容から、本考案は以下の長所をまとめることができる。
【０００８】
イ、本考案のモンキレンチは制御具を直接調整装置に対応することにより、他の素子を増設することなくラチェット運動するかしない制御効果を達成でき、確実により少ない素子、かつより単純な設計によりモンキレンチラチェット運動の目的を達成できる。
【０００９】
ロ、本考案のモンキレンチは操縦具とスペーサと相互に噛み合わせて、モンキレンチのラチェット運動効果をされに提供できる。
【図面の簡単な説明】
【００１０】
【図１】本考案のラチェット機能を備えるモンキレンチの立体外観図である。
【図２】本考案のラチェット機能を備えるモンキレンチの立体分解図である。
【図３】本考案のラチェット機能を備えるモンキレンチもう一つ視角の立体分解図である。
【図４】本考案の図１の４−４断面線に沿った断面図である。
【図５】本考案の図４の５−５断面線に沿った断面図、操縦具が第１位置に切り替えられたことを示す図である。
【図６】本考案の図４の６−６断面線に沿った断面図、操縦具が第１位置に切り替えられたことを示す図である。
【図７】本考案による図５の続き、操縦具を第２位置に切り替えられたことを示す図である。
【図８】本考案図６の続き、操縦具を第２位置に切り替えられたことを示す図である。
【図９】本考案図４の続き、モンキレンチによって、被駆動具を回すことを示す図である。
【図１０】本考案図７の続き、操縦具と仕切り具が噛み合わせることを示す図である。
【図１１】本考案図９の続き、モンキレンチが逆時計方向に回す動作を示す図である。
【図１２】本考案図１１の続き、モンキレンチが逆時計方向に回す動作を示す図である。
【図１３】本考案図１２の続き、モンキレンチが逆時計方向に回す動作を示す図である。
【図１４】本考案のラチェット機能を備えるモンキレンチを時計方向に回す動作を示す図である。
【図１５】本考案の操縦具を第３位置に切り替えることを示す図、第２歯合歯と第１歯合歯が対向して噛み合わせることを示す図である。
【図１６】本考案の操縦具が第３位置に切り替えることを示す図、支え装置が支え溝に支えることを示す図である。
【考案を実施するための形態】
【実施例】
【００１１】
図１、本考案のラチェット機能を備えるモンキレンチの立体外観図を参照する。本考案のラチェット機能を備えるモンキレンチは本体１０と、可動顎２０と、調整装置３０と、制御具４０と、を備える。本体１０は第１端１０１と、第２端１０２と、第１側１０３と、第２側１０４と、を有する。本体１０の第１端１０１は使用者の把持に提供し、本体１０の第２端１０２と可動顎２０は、被駆動具を駆動できる。調整装置３０は可動顎２０横方向の移動を調節でき、制御具４０は第１位置と第２位置との間に切り替えられる。制御具４０を第１位置に切り替えられたとき、可動顎２０は本体１０に対しラチェット運動はできない。制御具４０を第２位置に切り替えられたとき、可動顎２０は本体１０に対してラチェット運動できる。制御具４０を直接調整装置３０に対応することにより、他の素子を増設することなくラチェット運動するかしない制御効果を達成でき、確実により少ない素子、かつより単純な設計によりモンキレンチラチェット運動の目的を達成できる。
【００１２】
図２ないし図４、本考案のラチェット機能を備えるモンキレンチによる立体分解図と断面図を参照する。本体１０の第２端１０２は固定顎１１と、摺動溝１２と、収容空間１３と、第１固定穴１４と、第２固定穴１５と、受入穴１６と、を有する。固定顎１１は本体１０の第２端１０２の端部が第１端１０１の対向方向に延在していて、かつ固定顎１１は本体１０の第１側１０３に位置する。摺動溝１２は横向きに本体１０に穿設され、摺動溝１２は第１側１０３と第２側１０４を貫き、かつ摺動溝１２は第２端１０２に向かって開放状を形成する。収容空間１３は本体１０の第２端１０２の中間部に位置し、かつ本体１０を貫き、収容空間１３は垂直して摺動溝１２に連絡されている。第１固定穴１４は摺動溝１２に平行し、第１固定穴１４は第２側１０４を貫いて収容空間１３に連絡し、収容空間１３は第１固定穴１４両端の間に位置する。第２固定穴１５は第１固定穴１４に平行し、受入穴１６は本体１０を貫いて収容空間１３と、第２固定穴１５に連絡する。収容空間１３は受入穴１６と摺動溝１２との間に位置する。第２固定穴１５は支え装置１７と固定具１８と、を内設され、支え装置１７は弾性具１７１と支え具１７２と、を有し、弾性具１７１が弾性解放を提供し、支え具１７２を支え、固定具１８は第２固定穴１５に固定し、固定具１８によって、支え装置１７が第２固定穴１５から離脱を防止される。
【００１３】
可動顎２０は摺動溝１２に摺設され、可動顎２０は摺動部２１と、複数の第１歯部２２と、一つの顎部２３と、を有し、第１歯部２２は摺動部２１の周縁に位置していて、かつ第１歯部２２は横方向に配列され、顎部２３は第１歯部２２の反対端に位置し、可動顎２０の摺動部２１は本体１０の摺動溝１２に滑設し、顎部２３は固定顎１１に対応していて、かつ顎部２３と固定顎１１は被駆動具を挟持できる。
【００１４】
調整装置３０は本体１０に内設され、調整装置３０は可動顎２０が摺動溝１２での摺動を調節し、可動顎２０と固定顎１１との距離を制御する。
【００１５】
調整装置３０は軸３１と、弾性部材３２と、スペーサ３３と、ウォーム３４と、を有する。軸３１は軸部３１１と、固定部３１２と、を有し、軸３１は容易に成形加工でき、軸部３１１は滑らかな表面を形成し、固定部３１２は雄ねじ山を形成する。軸３１の軸部３１１は順を追って弾性部材３２と、スペーサ３３と、ウォーム３４に穿設し、軸３１の固定部３１２は第１固定穴１４に固定する。弾性部材３２と、スペーサ３３と、ウォーム３４すべて開放の収容空間１３に内設され、開放の収容空間１３は清掃しやすい効果を有し、収容空間１３に内設する弾性部材３２と、スペーサ３３と、ウォーム３４が異物の噛み込みによる詰まりは難しい、仮に、異物が収容空間１３内部に侵入していても、容易に清掃及び保守でき、故障を避けられる。スペーサ３３は弾性部材３２とウォーム３４との間に位置し、スペーサ３３に受入穴３３１を形成し、受入穴３３１は弾性部材３２に嵌着し、スペーサ３３は受入穴３３１の２つの側面はそれぞれ逃げ面３３２と、第１歯合歯３３３を形成し、逃げ面３３２と第１歯合歯３３３はそれぞれスペーサ３３反対の２つの側面に位置し、逃げ面３３２は第１歯部２２向きに設けられ、逃げ面３３２によって、スペーサ３３と可動顎２０との干渉防止を形成する。第１歯合歯３３３の延在方向は受入穴３３１に平行する。ウォーム３４の外周縁は複数の第２歯部３４１を設け、第２歯部３４１は第１歯部２２に噛み合わせによって、スペーサ３３と、ウォーム３４を収容空間１３の内部に制限される。ウォーム３４を回すことにより、可動顎２０の摺動部２１が摺動溝１２での移動を制御できる。
【００１６】
操縦具４０は受入穴１６に穿設され、操縦具４０は少なくとも一つの押圧部４１と、一つの係止面４２と、支え溝４３と、第２歯合歯４４と、を有し、本実施例において、操縦具４０に２つの押圧部４１を設け、２つの押圧部４１はそれぞれ操縦具４０反対の両端に設けられ、係止面４２と、支え溝４３と、第２歯合歯４４は２つの押圧部４１の間に位置し、係止面４２と、支え溝４３は操縦具４０の同じ側に位置し、第２歯合歯４４は操縦具４０の最上部に位置する。係止面４２は支え溝４３に隣接していて、支え溝４３は類似Ｖ形を形成し、第１部位４３１と、第２部位４３２と、第３部位４３３と、を有し、第１部位４３１は第２部位４３２と、第３部位４３３との間に位置し、第１部位４３１は操縦具４０の外周縁を離れていて、第２部位４３２と第３部位４３３は操縦具４０の外周縁付近部に位置し、第１部位４３１は２つの傾斜面からなり、第２部位４３２と第３部位４３３とも実直状を形成する。第２歯合歯４４は係止面４２に隣接している。操縦具４０は受入穴１６に内設し、２つの押圧部４１は受入穴１６の外部に露出し、係止面４２は収容空間１３の壁面向きに設け、支え溝４３は支え装置１７向きに設け、第２歯合歯４４は選択により、第１歯合歯３３３に噛み合わせる。
【００１７】
図５と６を併せて参照する。使用者が２つの押圧部４１のいずれかを押圧し、操縦具４０を受入穴孔１６に沿って移動させ、支え溝４３が支え装置１７の支えによって、操縦具４０を第１位置と第２位置との間で切り替え改変でき、操縦具４０を第１位置に切り替えられたとき、支え装置１７の弾性部材１７１の弾性解放により、支え具１７２を押し込み、支え具１７２を支え溝４３の第１部位４３１に支え、このとき、操縦具４０の第２歯合歯４４がスペーサ３３の第１歯合歯３３３に当設し、調整装置３０のウォーム３４を収容空間１３の内部に制限して置き、ウォーム３４は軸３１に対して摺動させないと共に、ウォーム３４が可動顎２０に噛み合わせて、可動顎２０と固定顎１１との間に一定距離を維持し、被駆動具を駆動できる。
【００１８】
図７から９、本考案操縦具を第２位置に切り替えられたことを示す図を参照する。操縦具４０に備える２つの押圧部４１のいずれかを押圧して、操縦具４０を受入穴１６に沿って移動させ、操縦具４０を第２位置に切り替えられたとき、支え具１７２が支え溝４３の第２部位４３２を支え、支え具１７２は弾性部材１７１を圧迫する。このとき、操縦具４０の第２歯合歯４４とスペーサ３３の第１歯合歯３３３と噛み合わせを形成し、スペーサ３３は操縦具４０に対して摺動でき、ウォーム３４は同時に軸３１に沿って摺動し、かつウォーム３４は可動顎２０に噛み合わせる。
【００１９】
図１０ないし１３、本考案モンキレンチの動作図を参照する。使用者が逆時計方向に本体１０を回したとき、可動顎２０は被駆動具に沿って摺動し、可動顎２０は固定顎１１に対して開閉摺動し、可動顎２０の第１歯２２がウォーム３４の第２歯部３４１を駆動して摺動し、ウォーム３４が軸３１の軸部３１１にて摺動し、ウォーム３４がスペーサ３３を駆動して、スペーサ３３を弾性部材３２に圧迫し、スペーサ３３を操縦具４０に摺動させる。このとき、可動顎２０は固定顎１１に対してラチェット運動し、本考案のモンキレンチにラチェット運動効果をもたらし、可動顎２０が固定顎１１に対してラチェット運動するとき、弾性部材３２はウォーム３４の圧迫を受け、弾性部材３２の弾性解放により、可動顎２０が固定顎１１に復位するときの自動復位効果を提供する。
【００２０】
図１４、本考案のラチェット機能を備えるモンキレンチを時計方向に回す動作を示す図を参照する。本考案のモンキレンチを時計方向に回したとき、使用者が操縦具４０を解放し弾性具１７１の弾性が解放され、支え具１７２を押し込み、支え具１７２を操縦具４０の第１部位４３１に支えて、操縦具４０が第１位置に自動復位され、第２歯合歯４４は第１歯合歯３３３に当接し、スペーサ３３とウォーム３４は軸３１に対して移動できない。
【００２１】
このとき、スペーサ３３と、ウォーム３４は支え具１７２の支えにより、ウォーム３４を可動顎２０に噛み合わせて、ウォーム３４は可動顎２０を可動顎１２に対して移動できない、可動顎２０と固定顎１１との距離が固定される。
【００２２】
図１５と１６、本考案操縦具を第３位置に切り替えられたことを示す図を参照する。操縦具４０は第１位置と、第２位置との間で切り替え改変できる。操縦具４０を第３位置に切り替えられたとき、支え溝４３の第３部位４３３は支え装置１７の支えを受けて、弾性部材１７１の弾性解放により支え具１７２を押し込み、支え具１７２を操縦具４０の第３部位４３３に支えて、操縦具４０の第２歯合歯４４とスペーサ３３の第１歯合歯３３３と噛み合わせを形成する。このとき、本体１０を往復して回すことにより、調整装置３０のスペーサ３３が操縦具４０に対して移動し、スペーサ３３とウォーム３４は軸３１に対して移動し、ウォーム３４に噛み合わせていた可動顎２０を固定顎１１に対する移動を可能にし、可動顎２０と固定顎１１が被駆動具を挟持したとき、本考案のモンキレンチはラチェット運動効果を有する。
【符号の説明】
【００２３】
１０      本体
１０１    第１端
１０２    第２端
１０３    第１側
１０４    第２側
１１      固定顎
１２      摺動溝
１３      収容空間
１４      第１固定穴
１５      第２固定穴
１６      受入穴
１７      支え装置
１７１    弾性具
１７２    支え具
１８      固定具
２０      可動顎
２１      摺動部
２２      第１歯形部
２３      顎部
３０      調節装置
３１      軸
３１１    軸部
３１２    取付け部
３２      弾性部材
３３      スペーサ
３３１    受入穴
３３２    逃げ面
３３３    第１歯合歯
３４      ウォーム
３４１    第２歯形部
４０      制御装置
４１      押圧部
４２      係止面
４３      支え溝
４３１    第１部位
４３２    第２部位
４３３    第３部位
４４      第２歯合歯
【図１】
0003178412.tif 000003
【図２】
0003178412.tif 000004
【図３】
0003178412.tif 000005
【図４】
0003178412.tif 000006
【図５】
0003178412.tif 000007
【図６】
0003178412.tif 000008
【図７】
0003178412.tif 000009
【図８】
0003178412.tif 000010
【図９】
0003178412.tif 000011
【図１０】
0003178412.tif 000012
【図１１】
0003178412.tif 000013
【図１２】
0003178412.tif 000014
【図１３】
0003178412.tif 000015
【図１４】
0003178412.tif 000016
【図１５】
0003178412.tif 000017
【図１６】
0003178412.tif 000018